(57)【要約】MIBなどの報知情報に含まれる所定数のスペアビットを複数の目的による利用に拡張し得るユーザ装置、無線基地局及び無線通信方法を提供する。ユーザ装置は、報知情報の内容を判定する。報知情報は、同一種類のシステム情報が割り当てられる複数のスロット（410）を有するフレーム（310）と、複数のスロット（420）を有するフレーム（320）とを含む。システム情報は、10ビットのスペアビット（500）を含み、スロット（410）に割り当てられるスペアビットは、第１目的に用いられ、スロット（420）に割り当てられるスペアビットは、第１目的と異なる第２目的に用いられる。
2017078091.tif 000002
【特許請求の範囲】
【請求項１】
無線基地局から送信される報知情報に基づいて、前記無線基地局と無線通信を実行するユーザ装置であって、
前記無線基地局から所定周期で繰り返し送信される前記報知情報を受信する報知情報受信部と、
前記報知情報受信部が受信した前記報知情報の内容を判定する報知情報判定部と
を備え、
前記報知情報は、
前記無線通信の実行に用いる同一種類のシステム情報が割り当てられる複数の第１スロットを有する第１フレームと、
前記第１フレームよりも後に送信され、前記システム情報が割り当てられる複数の第２スロットを有する第２フレームと
を含み、
前記第１フレーム及び前記第２フレームは、前記所定周期と対応し、
前記システム情報は、所定数のスペアビットを含み、
前記第１スロットに割り当てられる前記スペアビットは、第１目的に用いられ、
前記第２スロットに割り当てられる前記スペアビットは、前記第１目的と異なる第２目的に用いられ、
前記報知情報判定部は、前記第１スロットに割り当てられる前記スペアビットの内容、及び前記第２スロットに割り当てられる前記スペアビットの内容を判定するユーザ装置。
【請求項２】
前記報知情報判定部は、前記第１スロットに含まれる前記システム情報の内容と、前記第２スロットに含まれるシステム情報の内容とが異なった場合でも、前記報知情報が未更新と判定する請求項１に記載のユーザ装置。
【請求項３】
前記報知情報判定部は、同一の前記第１フレームを構成する複数の前記第１スロット、または同一の前記第２フレームを構成する複数の前記第２スロットに含まれる前記システム情報の内容が変更された場合、前記システム情報が更新されたと判定する請求項１に記載のユーザ装置。
【請求項４】
所定周期で繰り返し送信される報知情報をユーザ装置に送信する無線基地局であって、
前記ユーザ装置に前記報知情報を送信する報知情報送信部を備え、
前記報知情報は、
無線通信の実行に用いる同一種類のシステム情報が割り当てられる複数の第１スロットを有する第１フレームと、
前記第１フレームよりも後に送信され、前記システム情報が割り当てられる複数の第２スロットを有する第２フレームと
を含み、
前記第１フレーム及び前記第２フレームは、前記所定周期と対応し、
前記システム情報は、所定数のスペアビットを含み、
前記第１スロットに割り当てられる前記スペアビットは、第１目的に用いられ、
前記第２スロットに割り当てられる前記スペアビットは、前記第１目的と異なる第２目的に用いられる無線基地局。
【請求項５】
ユーザ装置と無線基地局とを含む無線通信システムにおける無線通信方法であって、
前記無線基地局が所定周期で繰り返し報知情報を送信するステップと、
前記ユーザ装置が前記報知情報を受信するステップと
を含み、
前記報知情報は、
無線通信の実行に用いる同一種類のシステム情報が割り当てられる複数の第１スロットを有する第１フレームと、
前記第１フレームよりも後に送信され、前記システム情報が割り当てられる複数の第２スロットを有する第２フレームと
を含み、
前記第１フレーム及び前記第２フレームは、前記所定周期と対応し、
前記システム情報は、所定数のスペアビットを含み、
前記第１スロットに割り当てられる前記スペアビットは、第１目的に用いられ、
前記第２スロットに割り当てられる前記スペアビットは、前記第１目的と異なる第２目的に用いられる無線通信方法。
【発明の詳細な説明】
【技術分野】
【０００１】
本発明は、所定周期で繰り返し無線基地局から送信される報知情報を受信するユーザ装置、当該無線基地局、及び無線通信方法に関する。
【背景技術】
【０００２】
3rd Generation Partnership Project（3GPP）は、Long Term Evolution（LTE）を仕様化し、LTEの更なる高速化を目的としてLTE-Advanced（以下、LTE-Advancedを含めてLTEという）を仕様化している。【０００３】
LTEでは、無線基地局（eNB）から無線通信システムで用いられるシステム帯域幅などのシステム情報（SI）が、複数のユーザ装置（UE）に向けてブロードキャストされる。【０００４】
具体的には、システム情報は、Master Information Block（MIB）及びSystem Information Block（SIB）を用いて所定周期で繰り返しeNBからUEに向けて送信される。このうち、MIBは、システム帯域幅、システムフレーム番号（System Frame Number: SFN）及び送信アンテナ数などのシステム情報を含む。【０００５】
eNBが形成するセル内に位置するUEは、一定以上の受信品質でMIBを受信する必要がある。そこで、40msの所定周期で繰り返し送信されるMIBには、同一種類のシステム情報が複数のスロット（具体的には、10ms毎の4スロット（サブフレーム））に含まれている。【０００６】
これにより、eNBの近傍に位置するUEは、何れかのスロットのシステム情報を受信することによって短時間でMIBの受信を完了できる。また、セル端に位置するUEは、複数のスロットで受信したシステム情報をソフト合成することによって一定以上の受信品質でMIBを受信することができる。【０００７】
ところで、LTEのRelease-13では、Machine Type Communication（MTC）用のユーザ装置（MTC-UE）向けとして、MIBのスペアビットを利用することが検討されている（例えば、非特許文献１参照）。具体的には、当該スペアビットを用いて、eNBが6RB（リソースブロック）の受信に対応しているか否かなどを報知することが検討されている。なお、MTC-UE向けのSIBは、PDCCH（Physical Downlink Control Channel）を用いずに送信されるため、上述したような情報を事前に報知する必要がある。【０００８】
MIBのスペアビットは、10ビットと限られているため、当該スペアビットを有効に利用する方法が検討されている。例えば、当該スペアビットの最初のビットが「1」であれば、残りの9ビットを、上述したようなMTC-UE向けのシステム情報に用いることが検討されている（例えば、非特許文献２参照）。【０００９】
また、このような当該スペアビットの利用方法の場合、最初のビットが「0」で、次のビットが「1」であれば、残りの8ビットを他の拡張に用いることが提案されている。
【先行技術文献】
【非特許文献】
【００１０】
【非特許文献１】3GPP RP-150492 “Further LTE Physical Layer Enhancements for MTC”、3GPP、2015年3月
【非特許文献２】3GPP R2-154785 “MIB for Rel-13 low complexity and coverage enhanced UEs”、3GPP、2015年10月
【発明の概要】
【００１１】
しかしながら、上述したようなMIBのスペアビットの利用方法の場合、同時には一つの目的（例えば、MTC-UE向けのシステム情報）でしか当該スペアビットを利用することができず、複数の目的には利用できない。例えばextended DRX cycle用にもMIBのスペアビットを利用することが検討されている。
【００１２】
そこで、本発明は、このような状況に鑑みてなされたものであり、MIBなどの報知情報に含まれる所定数のスペアビットを複数の目的による利用に拡張し得るユーザ装置、無線基地局及び無線通信方法の提供を目的とする。
【００１３】
本発明の一態様に係るユーザ装置は、無線基地局から送信される報知情報に基づいて、前記無線基地局と無線通信を実行する。ユーザ装置は、前記無線基地局から所定周期で繰り返し送信される前記報知情報を受信する報知情報受信部と、前記報知情報受信部が受信した前記報知情報の内容を判定する報知情報判定部とを備える。
【００１４】
前記報知情報は、前記無線通信の実行に用いる同一種類のシステム情報が割り当てられる複数の第１スロットを有する第１フレームと、前記第１フレームよりも後に送信され、前記システム情報が割り当てられる複数の第２スロットを有する第２フレームと
を含む。前記第１フレーム及び前記第２フレームは、前記所定周期と対応し、前記システム情報は、所定数のスペアビットを含む。
【００１５】
前記第１スロットに割り当てられる前記スペアビットは、第１目的に用いられ、前記第２スロットに割り当てられる前記スペアビットは、前記第１目的と異なる第２目的に用いられる。前記報知情報判定部は、前記第１スロットに割り当てられる前記スペアビットの内容、及び前記第２スロットに割り当てられる前記スペアビットの内容を判定する。
【００１６】
本発明の一態様に係る無線基地局は、所定周期で繰り返し送信される報知情報をユーザ装置に送信する。無線基地局は、前記ユーザ装置に前記報知情報を送信する報知情報送信部を備える。前記報知情報は、無線通信の実行に用いる同一種類のシステム情報が割り当てられる複数の第１スロットを有する第１フレームと、前記第１フレームよりも後に送信され、前記システム情報が割り当てられる複数の第２スロットを有する第２フレームとを含む。前記第１フレーム及び前記第２フレームは、前記所定周期と対応し、前記システム情報は、所定数のスペアビットを含む。前記第１スロットに割り当てられる前記スペアビットは、第１目的に用いられ、前記第２スロットに割り当てられる前記スペアビットは、前記第１目的と異なる第２目的に用いられる。
【００１７】
本発明の一態様に係る無線通信方法は、ユーザ装置と無線基地局とを含む無線通信システムにおいて用いられる。無線通信方法は、前記無線基地局が所定周期で繰り返し報知情報を送信するステップと、前記ユーザ装置が前記報知情報を受信するステップとを含む。
【００１８】
前記報知情報は、前記無線通信の実行に用いる同一種類のシステム情報が割り当てられる複数の第１スロットを有する第１フレームと、前記第１フレームよりも後に送信され、前記システム情報が割り当てられる複数の第２スロットを有する第２フレームと
を含む。前記第１フレーム及び前記第２フレームは、前記所定周期と対応し、前記システム情報は、所定数のスペアビットを含む。前記第１スロットに割り当てられる前記スペアビットは、第１目的に用いられ、前記第２スロットに割り当てられる前記スペアビットは、前記第１目的と異なる第２目的に用いられる。
【図面の簡単な説明】
【００１９】
【図１】図１は、無線通信システム10の全体概略構成図である。
【図２】図２は、eNB100の機能ブロック構成図である。
【図３】図３は、UE200の機能ブロック構成図である。
【図４】図４は、eNB100からUE200に送信される報知情報の通知シーケンスを示す図である。
【図５】図５は、MIBの構成例を示す図である。
【図６】図６（ａ）及び（ｂ）は、MIBのフレーム構成例を示す図である。
【発明を実施するための形態】
【００２０】
以下、実施形態を図面に基づいて説明する。なお、同一の機能や構成には、同一または類似の符号を付して、その説明を適宜省略する。
【００２１】
（１）無線通信システムの全体概略構成
図１は、本実施形態に係る無線通信システム10の全体概略構成図である。無線通信システム10は、Long Term Evolution（LTE）に従った無線通信システムであり、無線アクセスネットワーク20及び移動局200（以下、UE200）を含む。
【００２２】
無線アクセスネットワーク20は、3GPPにおいて規定されるEvolved Universal Terrestrial Radio Access Network（E-UTRAN）であり、無線基地局100（以下、eNB100）を含む。なお、無線通信システム10は、必ずしもLTE（E-UTRAN）に限定されない。例えば、無線アクセスネットワーク20は、5Gとして規定されるUE200（ユーザ装置）と無線通信を実行する無線基地局を含む無線アクセスネットワークであってもよい。
【００２３】
eNB100及びUE200は、LTEの仕様に従った無線通信を実行する。特に、本実施形態では、eNB100は、Master Information Block（MIB）及びSystem Information Block（SIB）を複数のUE200に向けてブロードキャストにより送信する。MIBには、所定数（10ビット）のスペアビットが含まれている。
【００２４】
UE200は、eNB100によって送信されたMIB及びSIB（報知情報）を受信し、当該報知情報に基づいてeNB100と無線通信を実行する。UE200の種別は特に限定されないが、Machine Type Communication（MTC）を実行するユーザ装置（MTC-UE）であってもよい。
【００２５】
（２）無線通信システムの機能ブロック構成
次に、無線通信システム10の機能ブロック構成について説明する。具体的には、eNB100及びUE200の機能ブロック構成について説明する。
【００２６】
（２．１）eNB100
図２は、eNB100の機能ブロック構成図である。図２に示すように、eNB100は、報知情報決定部110、MIB送信部120及びSIB送信部130を備える。
【００２７】
なお、図２に示すように、eNB100の各機能ブロックは、無線通信モジュール、プロセッサ（メモリを含む）、機能モジュール（ネットワークIFなど）及び電源などのハードウェア要素によって実現される。
【００２８】
報知情報決定部110は、複数のUE200に向けて送信される報知情報の内容を決定する。具体的には、報知情報決定部110は、MIB及びSIBの内容を決定する。
【００２９】
特に、本実施形態では、報知情報決定部110は、MIBのスペアビットを用いて送信する報知情報、具体的にはシステム情報の内容を決定する。
【００３０】
例えば、報知情報決定部110は、当該スペアビットを用いてMTC-UE向けのシステム情報を送信したり、extended DRX cycle（RP-150493参照）に関するシステム情報を送信したりすることを決定する。
【００３１】
MIB送信部120は、報知情報決定部110によって決定されたMIBを複数のUE200に向けて送信する。本実施形態において、MIB送信部120は、報知情報送信部を構成する。
【００３２】
ここで、図５は、MIBの構成例を示す。MIBの構成は、3GPP TS36.331において規定されている。図５に示すように、MIBは、システム帯域幅、システムフレーム番号及び送信アンテナ数、及びスペアビット（枠線で囲んだ部分）などを含む。
【００３３】
図６（ａ）及び（ｂ）は、MIBのフレーム構成例を示す。具体的には、図６（ａ）は、スペアビットを拡張利用した場合におけるMIB300の構成例を示し、図６（ｂ）は、スペアビットを拡張利用しない場合におけるMIB300Pの構成例を示す。
【００３４】
図６（ａ）及び（ｂ）に示すように、MIB300及びMIB300Pは、フレーム310（第１フレーム）及びフレーム320（第２フレーム）を含む。フレーム310及びフレーム320は、40msの周期（所定周期）で繰り返し送信される。つまり、フレーム310及びフレーム320は、所定周期と対応して繰り返し送信される。
【００３５】
フレーム310は、複数（４つ）のスロット410（第１スロット）を有する。同様に、フレーム320は、複数（４つ）のスロット420（第２スロット）を有する。スロット410及びスロット420は、10ms毎にPBCH （Physical Broadcast Channel）を介して送信される。
【００３６】
スロット410には、上述したシステム帯域幅など、無線通信の実行に用いる同一種類のシステム情報が割り当てられる。同様に、スロット420にも同一種類のシステム情報が割り当てられる。
【００３７】
これにより、eNB100の近傍に位置するUE200は、何れかのスロットのシステム情報を受信することによって短時間でMIBの受信を完了できる。また、セル端に位置するUE200は、複数のスロットで受信したシステム情報をソフト合成することによって一定以上の受信品質でMIBを受信することができる。
【００３８】
スロット410及びスロット420に割り当てられるシステム情報（MIB）は、上述したように10ビットのスペアビット500を含む。なお、図６（ａ）及び（ｂ）では、スペアビット500が模式的に示されている。
【００３９】
図６（ａ）に示すように、MIB300では、スロット410に割り当てられるスペアビット500は、第１目的に用いられる。例えば、MTC-UE向けのシステム情報である。一方、スロット420に割り当てられるスペアビット500は、第１目的と異なる第２目的に用いられる。例えば、extended DRX cycleに関するシステム情報である。
【００４０】
具体的には、図６（ａ）に示すように、フレーム310のスロット410に含まれるスペアビット500のビット列では、「00000 00001」が定義（定義1：MTC-UE向けのシステム情報）される。一方、フレーム320のスロット420に含まれるスペアビット500のビット列では、「01000 00001」が定義（定義2：extended DRX cycleに関するシステム情報）される。
【００４１】
このように、本実施形態では、MIBの周期（40ms）毎にスペアビット500の利用方法（目的）が変更され、スペアビット500の意味が所定周期毎に変更される。定義1及び定義2のスペアビット500を繰り返し送信することによって、合計20ビットの情報が利用可能となる。
【００４２】
なお、図６（ａ）に示すMIB300の構成例は、スペアビット500を20ビットに拡張する例を示しているが、フレーム（所定周期）毎の定義を増やし、さらに多くのビット数に拡張することも可能である。
【００４３】
この場合、SFN（System Frame Number）単位（10ms）において、任意の定義i（1≦i≦N）の中で何れの定義のMIBが送信されているかは、以下の式によって求めることができる。
【００４４】
i = floor(SFN/4) mod N
一方、MIB300Pの場合、スペアビット500のビット列の定義は、スロット410及びスロット420とも「00000 00001」（定義1）であり、単一の目的でのみ利用されている。
【００４５】
SIB送信部130は、報知情報決定部110によって決定されたSIBを複数のUE200に向けて送信する。
【００４６】
（２．２）UE200
図３は、UE200の機能ブロック構成図である。図３に示すように、UE200は、MIB受信部210、SIB受信部220、報知情報判定部230及びRRCコネクション処理部240を備える。
【００４７】
なお、図３に示すように、UE200の各機能ブロックは、無線通信モジュール、プロセッサ（メモリを含む）、機能モジュール（外部接続IF、位置検出、各種測定など）、ディスプレイ及び電源（バッテリ含む）などのハードウェア要素によって実現される。
【００４８】
MIB受信部210は、eNB100から所定周期（40ms）で繰り返し送信されるMIBを受信する。本実施形態において、MIB受信部210は、報知情報受信部を構成する。
【００４９】
SIB受信部220は、eNB100から繰り返し送信されるSIBを受信する。具体的には、SIB受信部220は、MIB受信部210が受信したMIBに含まれるシステム情報に基づいてUE200の受信環境を設定し、SIBを受信する。
【００５０】
報知情報判定部230は、MIB受信部210が受信した報知情報の内容を判定する。具体的には、報知情報判定部230は、MIBの内容（スペアビットを含む）及びSIBの内容を判定する。
【００５１】
また、報知情報判定部230は、MIB300（図６（ａ）参照）のスロット410に含まれるシステム情報の内容と、スロット420に含まれるシステム情報の内容とが異なった場合でも、MIBが未更新と判定する。つまり、報知情報判定部230では、システム情報（SI）のビット列パターンを所定周期（40ms）毎に変えることは、MIBの内容を変更したとは見なさず、SI updateの対象としない。
【００５２】
一方、報知情報判定部230は、同一のフレーム310を構成する複数のスロット410、または同一のフレーム320を構成する複数のスロット420に含まれるシステム情報の内容が変更された場合、システム情報が更新されたと判定する。つまり、報知情報判定部230では、同一のビット列定義の中において、ビットの値（ビットが意味するパラメータの内容）が変わった場合のみ、MIBの内容が変わったと見なし、SI updateの対象とする。
【００５３】
RRCコネクション処理部240は、MIB受信部210及びSIB受信部220が受信したMIB（スペアビットを含む）及びSIBに基づいて、eNB100とRRCコネクションなどの設定などを実行する。
【００５４】
（３）無線通信システムの動作
次に、無線通信システム10の動作について説明する。具体的には、MIB及びSIBの送受信動作について説明する。
【００５５】
図４は、eNB100からUE200に送信される報知情報の通知シーケンスを示す。図４に示すように、eNB100は、まず、MIBを送信する（S10）。上述したように、MIB300（図６（ａ）参照）には、スペアビット500が含まれ、複数の目的で利用される。
【００５６】
eNB100は、MIBの送信に引き続いて、SIBを送信する（S20）。SIBは、複数規定されており、eNB100は、SIB Type 1（SIB1）から順次送信する。
【００５７】
（４）作用・効果
上述した実施形態によれば、以下の作用効果が得られる。無線通信システム10において用いられるMIB300によれば、スロット410に割り当てられるスペアビット500は、第１目的に用いられる。例えば、MTC-UE向けのシステム情報である。一方、スロット420に割り当てられるスペアビット500は、第１目的と異なる第２目的に用いられる。例えば、extended DRX cycleに関するシステム情報である。
【００５８】
このため、MIBに含まれる10ビットのスペアビット500を、複数の目的で利用できるように拡張できる。特に、上述したようなスペアビット500の最初のビットが「1」であれば、残りの9ビットを、MTC-UE向けのシステム情報に用いる方法では、同時には一つの目的（例えば、MTC-UE向けのシステム情報）でしかスペアビット500を利用することができないが、本実施形態に係るMIB300によれば、同時に複数の目的に利用し得る。
【００５９】
さらに、定義1及び定義2のスペアビット500を繰り返し送信することによって、合計20ビットの情報が利用可能となり、実質的なスペアビット数を増大することができる。
【００６０】
本実施形態では、システム情報（SI）のビット列パターンを所定周期（40ms）毎に変えることは、MIBの内容を変更したとは見なさず、SI updateの対象としない。このため、スペアビット500を複数の目的（定義）に用いる場合において、フレーム310とフレーム320とでシステム情報（スペアビット500）の内容が一致しない場合でも、MIB自体が更新されることはない。
【００６１】
一方、本実施形態では、システム情報の同一のビット列定義の中において、ビットの値（ビットが意味するパラメータの内容）が変わった場合のみ、MIBの内容が変わったと見なし、SI updateの対象とする。このため、スペアビット500を複数の目的（定義）に用いる場合でも、MIBを確実に更新できる。
【００６２】
（５）その他の実施形態
以上、実施形態に沿って本発明の内容を説明したが、本発明はこれらの記載に限定されるものではなく、種々の変形及び改良が可能であることは、当業者には自明である。
【００６３】
例えば、上述した実施形態では、定義1及び定義2のスペアビット500を繰り返し送信することによって、合計20ビットの情報が利用可能になる例について主に説明したが、フレーム（所定周期）毎の定義を増やし、30ビット以上の情報に拡張してもよい。つまり、定義をN個設けることによって、10×Nbitsのスペアビット500が利用可能になる。
【００６４】
また、上述した実施形態では、スペアビット数が10ビットである場合を例として説明したが、スペアビット数は、10ビットより少なくてもよい（例えば、5ビット）。なお、このようにスペアビットが減少する例としては、当該スペアビットの一部が他の目的（例えば、SIB1のscheduling informationでの利用）のために利用されることが考えられる。
【００６５】
このような場合、例えば、LTE Rel-13のeMTC(BLUE UE またはUE in CE(Coverage Enhancement) mode)に対応していない同Rel-14以降のUEに対しては、スペアビット数を10ビットとして、上述した処理が実行され、同Rel-13のeMTCに対応しているRel-14以降のUEに対しては、スペアビット数を5ビットとして、上述した処理が実行されてもよい。
【００６６】
上述した実施形態では、MIBを例として説明したが、MIBと同様の構成のスペアビット500を含む場合には、他のシステム情報に本発明を適用してもよい。
【００６７】
また、MIBのスペアビットは、所定ビット、拡張ビットまたは余剰ビットなどと表現されても構わない。
【００６８】
さらに、上述した実施形態におけるシーケンス及びフローチャートなどは、矛盾の無い限り、順序を入れ替えてもよい。
【００６９】
また、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【００７０】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【００７１】
eNB100（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【００７２】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【００７３】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７５】
さらに、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【００７６】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【００７７】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【００７８】
また、本発明は、以下のように表現されてもよい。本発明の一態様は、無線基地局（eNB100）から送信される報知情報（MIB）に基づいて、前記無線基地局と無線通信を実行するユーザ装置（UE200）であって前記無線基地局から所定周期（40ms）で繰り返し送信される前記報知情報を受信する報知情報受信部（MIB受信部210）と、前記報知情報受信部が受信した前記報知情報の内容を判定する報知情報判定部（報知情報判定部230）とを備え、前記報知情報は、前記無線通信の実行に用いる同一種類のシステム情報が割り当てられる複数の第１スロット（スロット410）を有する第１フレーム（フレーム310）と、前記第１フレームよりも後に送信され、前記システム情報が割り当てられる複数の第２スロット（スロット420）を有する第２フレーム（フレーム320）とを含み、前記第１フレーム及び前記第２フレームは、前記所定周期と対応し、前記システム情報は、所定数（10ビット）のスペアビット（スペアビット500）を含み、前記第１スロットに割り当てられる前記スペアビットは、第１目的（例えば、MTC-UE向けのシステム情報）に用いられ、前記第２スロットに割り当てられる前記スペアビットは、前記第１目的と異なる第２目的（例えば、extended DRX cycleに関するシステム情報）に用いられ、前記報知情報判定部は、前記第１スロットに割り当てられる前記スペアビットの内容、及び前記第２スロットに割り当てられる前記スペアビットの内容を判定することを要旨とする。
【００７９】
本発明の一態様において、前記報知情報判定部は、前記第１スロットに含まれる前記システム情報の内容と、前記第２スロットに含まれるシステム情報の内容とが異なった場合でも、前記報知情報が未更新と判定してもよい。
【００８０】
本発明の一態様において、前記報知情報判定部は、同一の前記第１フレームを構成する複数の前記第１スロット、または同一の前記第２フレームを構成する複数の前記第２スロットに含まれる前記システム情報の内容が変更された場合、前記システム情報が更新されたと判定してもよい。
【００８１】
本発明の一態様は、所定周期で繰り返し送信される報知情報をユーザ装置に送信する無線基地局であって、前記ユーザ装置に前記報知情報を送信する報知情報送信部（MIB送信部120）を備え、前記報知情報は、前記無線通信の実行に用いる同一種類のシステム情報が割り当てられる複数の第１スロットを有する第１フレームと、前記第１フレームよりも後に送信され、前記システム情報が割り当てられる複数の第２スロットを有する第２フレームとを含み、前記第１フレーム及び前記第２フレームは、前記所定周期と対応し、前記システム情報は、所定数のスペアビットを含み、前記第１スロットに割り当てられる前記スペアビットは、第１目的に用いられ、前記第２スロットに割り当てられる前記スペアビットは、前記第１目的と異なる第２目的に用いられることを要旨とする。
【００８２】
本発明の一態様は、ユーザ装置と無線基地局とを含む無線通信システムにおける無線通信方法であって、前記無線基地局が所定周期で繰り返し報知情報を送信するステップと、前記ユーザ装置が前記報知情報を受信するステップとを含み、前記報知情報は、前記無線通信の実行に用いる同一種類のシステム情報が割り当てられる複数の第１スロットを有する第１フレームと、前記第１フレームよりも後に送信され、前記システム情報が割り当てられる複数の第２スロットを有する第２フレームとを含み、前記第１フレーム及び前記第２フレームは、前記所定周期と対応し、前記システム情報は、所定数のスペアビットを含み、前記第１スロットに割り当てられる前記スペアビットは、第１目的に用いられ、前記第２スロットに割り当てられる前記スペアビットは、前記第１目的と異なる第２目的に用いられることを要旨とする。
【００８３】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００８４】
なお、日本国特許出願第2015-217959号（2015年11月5日出願）の全内容が、参照により、本願明細書に組み込まれている。
【産業上の利用可能性】
【００８５】
上述したユーザ装置、無線基地局及び無線通信方法によれば、MIBなどの報知情報に含まれる所定数のスペアビットを複数の目的による利用に拡張し得る。
【符号の説明】
【００８６】
10  無線通信システム
20  無線アクセスネットワーク
100  eNB
110  報知情報決定部
120  MIB送信部
130  SIB送信部
200  UE
210  MIB受信部
220  SIB受信部
230  報知情報判定部
240  RRCコネクション処理部
300, 300  PMIB
310, 320  フレーム
410, 420  スロット
500  スペアビット
【図１】
2017078091.tif 000003
【図２】
2017078091.tif 000004
【図３】
2017078091.tif 000005
【図４】
2017078091.tif 000006
【図５】
2017078091.tif 000007
【図６】
2017078091.tif 000008
【国際調査報告】
2017078091.tif 000009
2017078091.tif 000010